(57)【要約】【課題】ポリ袋等を開口状態に保持し、簡単な構成で開口部の開閉を容易に行うことができ、且つ、袋体閉止時における閉塞状態を良好にできる袋体保持装置を提供する。【解決手段】袋体保持装置Ｓは長方形状の固定部１と一回り大きい長方形状の可動枠部２とから構成され、可動枠部２は枢支部３によって固定部１の外側を回動可能なように支持される。固定部１に設けた保持具４，４に袋体１０の持ち手部１１，１１を係止して吊り下げ、袋体１０を開口状態に保持する。可動枠部２を枢支部３を中心にして回動させ、一方の枠部分２ａが固定部１の下方において一端側Ｆから他端側Ｒへ向かって横切るように移動させる。枠部分２ａは移動途中で袋体１の首部１０ｂに当接してここを押圧し、首部１０ｂを若干持ち上げる。袋体１０収容物の重量が作用し、首部１０ｂに良好な閉塞状態をもたらす。従って、収容物の臭気が外部へ漏出するのを確実に防止できる。【選択図】      図１
2007106586.tif 000002
【特許請求の範囲】
【請求項１】
袋体が装着され当該袋体の開口部を開口状態に保持する固定部と、当該固定部又は当該固定部の近傍に設けられた枢支部によって回動可能に支持された可動枠部とを有し、前記可動枠部を回動させたときに、その一部が前記固定部の下方において前記固定部の一端側から他端側まで横切るように移動することを特徴とする袋体保持装置。
【請求項２】
前記固定部の近傍に起立面が設けられ、前記可動枠部の一部が、前記固定部の下方において、前記起立面へ当接可能である請求項１に記載の袋体保持装置。
【請求項３】
前記可動枠部を所定の回動位置に保持する手段を設けた請求項１又は２に記載の袋体保持装置。
【請求項４】
前記固定部に、袋体に設けられた持ち手部分を係止する保持具を、所定間隔を置いて対向させて設けた請求項１乃至３のいずれかに記載の袋体保持装置。
【発明の詳細な説明】
【技術分野】
【０００１】
本発明は、ポリ袋・ビニール袋等の袋体を開口状態に保持する装置であって、簡単な構成で開口部の開閉を容易に行うことができ、且つ、袋体閉止時における閉塞状態を良好にできる技術に関する。
【背景技術】
【０００２】
スーパーマーケットやコニビニエンスストアを初めとする各種小売店で、商品の収納・包装・運搬用にポリ袋が多用されている。そしてポリ袋は、商品を持ち帰った後に、ゴミ袋あるいは物品収納袋として利用されることが非常に多い。またポリ袋は、非常に廉価で販売もされている。このようなポリ袋等の袋体の使い勝手を向上させるため、従来、各種提案がなされている。例えば特許文献１には、袋体をゴミ袋として利用し易くするためのゴミ袋保持具が記載され、特許文献２には、袋体の口の開閉が容易にでき且つ開口状態・閉止状態を保持できる袋の口開閉枠が記載されている。
【特許文献１】特開２００１−４８１３４公報
【特許文献２】特開２００３−３２１０１７公報
【発明の開示】
【発明が解決しようとする課題】
【０００３】
特許文献１のゴミ袋保持具も、特許文献２の口開閉枠も、袋体の口を閉止した時の閉塞状態が満足できるものではなかった。すなわち、袋体をゴミ袋として使用した際に、口を閉じても臭気を十分に遮断できないという問題があった。
【課題を解決するための手段】
【０００４】
前記従来の課題を解決するために本発明が提案する袋体保持装置の特徴は、請求項１に記載する如く、袋体が装着され当該袋体の開口部を開口状態に保持する固定部と、当該固定部又は当該固定部の近傍に設けられた枢支部によって回動可能に支持された可動枠部とを有し、前記可動枠部を回動させたときに、その一部が前記固定部の下方において前記固定部の一端側から他端側まで横切るように移動するところにある。
【０００５】
前記袋体保持装置において、請求項２に記載する如く、前記固定部の近傍に起立面を設け、前記可動枠部の一部が、前記固定部の下方において、前記起立面へ当接可能となるように構成してもよい。この場合、固定部を起立面へ取着する態様のほか、起立面とは別体に設けた保持手段で固定部を保持する態様も可能である。また起立面は、例えば単独に板材を立設して形成するほか、キャビネット等箱体の一部を利用する態様も考えられる。
【０００６】
請求項３に記載する如く、前記可動枠部を所定の回動位置に保持する手段を設けてもよい。さらに、持ち手部分を有する袋体を使用する場合は、請求項４に記載する如く、前記固定部に、袋体の持ち手部分を係止する保持具を、所定間隔を置いて対向するように設けておくことが望ましい。
【発明の効果】
【０００７】
本発明に係る袋体保持装置は、袋体を開口状態で固定部に装着し、この状態で可動枠部を回動させると、可動枠部の一部が、固定部の下方を一端側から他端側まで移動する途中で、袋体の開口部よりやや下側の位置（首部）に当接して押圧し、この押圧状態を保ったまま、固定部の他端側まで横切る。これにより袋体は、首部が可動枠部によって若干持ち上げられる。このとき、袋体の収容物の重量が首部に作用するので、首部において良好な閉塞状態が得られる。従って、ゴミ袋として使用したときに、臭気の漏出を防止することが可能である。
【０００８】
前記袋体保持装置において、請求項２に記載する如く、可動枠部の一部が、固定部の近傍に設けた起立面へ当接するよう構成した場合は、袋体の首部が可動枠部の一部によって起立面へ押し付けられるので、より確実な閉塞状態を得ることができる。
【０００９】
請求項３に記載する如く、可動枠部の保持手段を設けた場合は、可動枠部を回動させて袋体の首部を閉塞した状態の維持が容易になる。
【００１０】
さらに請求項４に記載する如く、袋体の持ち手部分を係止する保持具を固定部に設けた場合は、スーパーマーケット等の小売店で商品の収納・包装用として最も広く提供されている持ち手付きのポリ袋を、ゴミ袋に転用する場合に、固定部への装着が容易に行えるようになる。
【発明を実施するための最良の形態】
【００１１】
（第１の実施形態）
本発明に係る袋体保持装置は、例えば台所の壁面やキッチンキャビネットに取り付けたり、ワゴン等に装備される。用途としては、ゴミ袋のほか、食品その他の物品の収容袋として使用することが考えられる。保持対象となる袋体は、ポリ袋が代表的であるが、ビニール袋、紙袋、表面を樹脂被覆した布製袋なども対象となる。
【００１２】
図１及び図２に示すように、本発明に係る袋体保持装置Ｓの要部は、平面視して長方形状の枠体より成る固定部１と、固定部１より一回り大きい長方形状の可動枠部２とから構成される。図示する例では、固定部１が丸パイプ又は丸棒を枠体状に形成したもの、可動枠部２が幅の狭い薄板を枠体状に形成したものから成っている。可動枠部２は、一組の対辺それぞれのほぼ中央位置が、ピン・ヒンジ・ボルト等の枢支部３によって、固定部１の一組の対辺それぞれのほぼ中央部へ、当該固定部１の外側を回動可能なように支持されている。固定部１には、ポリ袋等の袋体１０に設けられた持ち手部１１を係止するための一組の保持具４，４が対向して設けられている。図面に例示した保持具４は、細い棒状体から成り、固定部１に取着された下端側から上方へ立ち上げたのち、上記取着部の側へ水平方向に折り曲げた如き形態を有しているが、この形態は適宜変更可能である。前述の固定部１，可動枠部２，保持具４は、アルミ・ステンレス鋼・鉄・銅等の金属のほか、プラスチックやセラミックス等で製作することが考えられる。
【００１３】
前記袋体保持装置Ｓの使用態様を以下に説明する。なお実施に際しては、固定部１を適宜高さ位置に保持する手段が必要であるが、図１・図２では省略してある。図１（Ａ）及び図２（Ａ）に示すように、固定部１に設けた保持具４，４に袋体１０の持ち手部１１，１１を係止して、袋体１０上部の開口部１０ａが開口状態に保持されるようにして、固定部１の下方へ吊り下げる。次いで可動枠部２を、枢支部３を中心にして回動させる。これにより可動枠部２の一方の枠部分２ａが、固定部１の下方において固定部１の一端側Ｆから他端側Ｒへ向かって横切るように移動する。上記枠部分２ａは、固定部１の下方を一端側Ｆから他端側Ｒへ向かって移動する途中で、図１（Ｂ）及び図２（Ｂ）に示すように、袋体１における開口部１０ａのやや下側の部分（首部）１０ｂに当接してここを押圧し、図１（Ｃ）及び図２（Ｃ）に示すように、上記首部１０ｂを固定部１の他方側Ｒまで移動させる。その結果、首部１０ｂが枠部分２ａで若干持ち上げられるので、袋体１０に収容物が有る場合は、その重量が首部１０ｂに作用し、首部１０ｂに良好な閉塞状態をもたらす。すなわち、密閉度の高い状態が得られるから、袋体１０をゴミ袋として使用したときに、収容物の臭気が外部へ漏出するのを確実に防止することができる。袋体１０を開口状態に戻すには、可動枠部２を反対方向へ回動操作するだけでよい。このように本発明は、構成が簡素であって、簡単な操作で袋体１０の開閉状態を容易に切り替えることができ、しかも、閉止時の密閉度が高い袋体保持装置Ｓを提供することが可能である。
【００１４】
ところで、持ち手部分の設けられていない袋体を使用する場合は、クリップ、ピンチ、粘着テープ等で、袋体の開口縁部を固定部１へ取り付ければよい。
【００１５】
（第２の実施形態）
図３に示すように、底板部６で起立状態に支持された立板部５を設け、この立板部５の起立面５ａに、コ字形に製作した固定部１の基部１ａを固定する構造も考えられる。本例では、可動枠部２を回動させると、可動枠部２における固定部１下方を横切る枠部分２ａが、固定部１から吊り下げられた袋体１０の首部１０ａを移動させて、起立面５ａに押し付ける。従って、より確実な袋体１０の閉塞状態を得ることが可能である。
【００１６】
なお、起立面５ａにおける固定部１よりやや下側の位置に枠部保持手段７を取り付け、可動枠部２を回動させたときに枠部分２ａを枠部保持手段７に嵌合させて回動位置を保持するようにし、袋体１０が閉塞された状態の維持が容易に行えるようにしてもよい。
【００１７】
（第３の実施形態）
図４に示す如く、底板部６に一定間隔を置いて柱部材９，９を立設し、この柱部材９，９の上部に設けたブラケット８，８の間に、袋体保持装置Ｓの固定部１及び可動枠部２を保持する構造も考えられる。本例では、ブラケット８に対し固定部１が固定され、可動枠部２は固定部１とブラケット８との間で回動可能に支持されている。なお、固定部１及び可動枠部２とは別体に立板部５を設ける場合は、その起立面５ａに可動枠部２が当接可能なように、柱部材９との距離を設定する。
【００１８】
（第４の実施形態）
図５に示す実施形態は、固定部１を立板部５の起立面５ａ上に固定し、他方、可動枠部２は、底板部６上に立設した柱部材９と立板部５とで支持されたブラケット８によって、回動可能に支持するように構成したものである。またブラケット８をコ字形に形成し、その正面部分８ａに枠部保持手段７を設けた。従って本例では、可動枠部２の枢支部３を、固定部の外側に設けた例と言える。袋体１０を閉止状態にすべく可動枠部２を回動させたときに、固定部１の上側を移動する枠部分２ｂが上記枠部保持手段７に嵌合して、可動枠部２を所定の回動位置に保持する。
【００１９】
（第５の実施形態）
図６に示すように、固定部１を、所定間隔に配設した２本の棒状体で構成することも可能である。この場合、棒状固定部１の基部１ａが立板部５の起立面５ａ上に固定され、先端１ｂ側は開放された状態となる。それ故、袋体１０を固定部１から吊り下げたときに、開口部１０ａの手前側が広く開けた状態となるので、物品あるいはゴミを袋体１０内へ投入するのが容易になる。
【００２０】
（第６の実施形態）
図７（Ａ）（Ｂ）に示す実施形態は、起立面５ａ上に固定した固定部１の先端側に枢支部３を設け、固定部１の先端側において、可動枠部２の基部２ｃを回動可能に支持するように構成したものである。本例では、可動枠部２はコ字状である。また枢支部３を設ける必要性から、固定部１はやや幅広に形成されている。本例の袋体保持装置Ｓにおいて、袋体１０を閉塞状態とするときには、図７（Ｂ）に示す如く、可動枠部２を固定部１の下方へ回動させ、先端側の枠部分２ａで袋体１０を起立面５ａへ押し付ければよい。
【００２１】
本例では、枠部分２ａの周面に径を拡大するための拡径部材１２を装着して、袋体１０の閉塞効果を向上させている。また、起立面５ａ上に、２つの枠部保持手段７を、上記拡径部材１２の長さ以上の間隔を空けて配設し、可動枠部２の枠部分２ａをこれらに嵌合させて、可動枠部２を袋体１０を閉塞する位置に容易に保持できるようにしてある。さらに枠部分２ａに把手部１３を設け、可動枠部２を袋体１０の閉塞位置から容易に離脱させることができるようにしてある。
【００２２】
（その他の実施形態）
可動枠部２の形態は適宜の変更が可能あり、図１に長方形状、図７にコ字形状のものを示したが、図８（Ａ）に示すように、固定部１の上方を移動する枠部分２ｂにテーパを与えてホームベース状としたり、同図（Ｂ）に示すような楕円形状又は円形状とすることも可能である。また図９に示すように、可動枠部２が、枠体状に形成された固定部１の内側で回動するように構成することも考えられる。その他、本発明の実施の形態は、状況に応じ適宜変更することを妨げない。
【図面の簡単な説明】
【００２３】
【図１】本発明の第１の実施形態に関するものであって、図（Ａ）は初期状態（袋体の開口状態）にある袋体保持装置の要部を示す斜視図、図（Ｂ）は可動枠部を途中まで回動させた状態にある袋体保持装置の要部を示す斜視図、図（Ｃ）は袋体の閉塞状態にある袋体保持装置の要部を示す斜視図である。
【図２】本発明の第１の実施形態に関するものであって、図（Ａ）は初期状態（袋体の開口状態）にある袋体保持装置の要部を示す側面断面図、図（Ｂ）は可動枠部を途中まで回動させた状態にある袋体保持装置の要部を示す側面断面図、図（Ｃ）は袋体の閉塞状態にある袋体保持装置の要部を示す側面断面図である。
【図３】本発明の第２の実施形態に係る袋体保持装置を示す斜視図である。
【図４】本発明の第３の実施形態に係る袋体保持装置を示す斜視図である。
【図５】本発明の第４の実施形態に係る袋体保持装置を示す斜視図である。
【図６】本発明の第５の実施形態に係る袋体保持装置の要部を示す斜視図である。
【図７】本発明の第６の実施形態に関するものであって、図（Ａ）は袋体保持装置の要部を示す斜視図、図（Ｂ）は同袋体保持装置の要部を示す側面図である。
【図８】図（Ａ）（Ｂ）共に、本発明のその他の実施形態に係る袋体保持装置の要部を示す斜視図である。
【図９】本発明に係る袋体保持装置のさらに異なる実施形態の要部を示す斜視図である。
【符号の説明】
【００２４】
Ｓ…袋体保持装置  １…固定部  ２…可動枠部  ３…枢支部  ４…保持具  １０…袋体  １０ａ…開口部  １１…持ち手部
【図１】
2007106586.tif 000003
【図２】
2007106586.tif 000004
【図３】
2007106586.tif 000005
【図４】
2007106586.tif 000006
【図５】
2007106586.tif 000007
【図６】
2007106586.tif 000008
【図７】
2007106586.tif 000009
【図８】
2007106586.tif 000010
【図９】
2007106586.tif 000011